【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
映像データを復号する方法であって、
１つ以上の映像ブロックに関してロスレスコーディングモードが使用されるか又は前記１つ以上の映像ブロックに関してパルスコード変調（ＰＣＭ）コーディングモードが使用されるかのうちの１つを決定するために第１の構文要素を復号することであって、前記ロスレスコーディングモードは、コーディングプロセスにおいて変換、量子化、及びインループフィルタリングをバイパスするモードを意味し、前記ＰＣＭコーディングモードは、ピクセル値をＰＣＭサンプルとしてコーディングするモードを意味することと、
前記第１の構文要素が真値を示すことに応答して、前記ロスレスコーディングモード又は前記ＰＣＭモードのうちのどちらが使用されるかを決定するために第２の構文要素を復号することと、
前記第１の構文要素が偽値を示すことに応答して、変換及び量子化プロセスを用いて前記１つ以上の映像ブロックを復号することと、前記第２の構文要素を復号しないことと、
を備える、方法。
【請求項２】
前記１つ以上のＰＣＭサンプルに関してインループフィルタリング動作が使用されるかどうかを示す第３の構文要素を復号することと、
前記第１の構文要素、前記第２の構文要素、及び前記第３の構文要素に基づいて前記１つ以上のＰＣＭサンプルにインループフィルタリング動作を適用することと、をさらに備える請求項１に記載の方法。
【請求項３】
前記第１の構文要素は、コーディングユニット（ＣＵ）構文レベルにおけるｃｕ_ｔｒａｎｓｑｕａｎｔ_ｂｙｐａｓｓ_ｆｌａｇ構文要素を備え、前記第２の構文要素は、前記ＣＵ構文レベルにおけるｐｃｍ_ｆｌａｇ構文要素を備え、前記第３の構文要素は、前記ＣＵ構文レベルにおけるｐｃｍ_ｌｏｏｐ_ｄｉｓｂａｌｅ_ｆｌａｇ構文要素を備える請求項２に記載の方法。
【請求項４】
前記第１の構文要素及び前記第２の構文要素に少なくとも部分的に基づいて前記１つ以上の映像ブロックを復号することをさらに備える請求項１に記載の方法。
【請求項５】
前記ロスレスコーディングモードが使用されることを前記第２の構文要素が示すと決定したことに応答して、前記ロスレスコーディングモードを用いて前記１つ以上の映像ブロックを復号することと、
前記ＰＣＭコーディングモードが使用されることを前記第２の構文要素が示すと決定したことに応答して、前記ＰＣＭコーディングモードを用いて前記１つ以上の映像ブロックを復号することと、をさらに備える請求項４に記載の方法。
【請求項６】
映像データを符号化する方法であって、
１つ以上の映像ブロックに関してロスレスコーディングモードが使用されるか又は前記１つ以上の映像ブロックに関してパルスコード変調（ＰＣＭ）コーディングモードが使用されるかのうちの１つを示すために第１の構文要素を符号化することであって、前記ロスレスコーディングモードは、コーディングプロセスにおいて変換、量子化、及びインループフィルタリングをバイパスするモードを意味し、前記ＰＣＭコーディングモードは、ピクセル値をＰＣＭサンプルとしてコーディングするモードを意味することと、
前記第１の構文要素が真値を示すことに応答して、前記ロスレスコーディングモード又は前記ＰＣＭモードのうちのどちらが使用されるかを示すために第２の構文要素を符号化することと、
前記第１の構文要素が偽値を示すことに応答して、変換及び量子化プロセスを用いて前記１つ以上の映像ブロックを符号化することと、前記第２の構文要素を符号化しないことと、
を備える、方法。
【請求項７】
前記１つ以上のＰＣＭサンプルに関してインループフィルタリング動作が使用されるかどうかを示すために第３の構文要素を符号化することと、
前記第１の構文要素、前記第２の構文要素、及び前記第３の構文要素に基づいて前記１つ以上のＰＣＭサンプルにインループフィルタリング動作を適用することと、をさらに備える請求項６に記載の方法。
【請求項８】
前記第１の構文要素は、コーディングユニット（ＣＵ）構文レベルにおけるｃｕ_ｔｒａｎｓｑｕａｎｔ_ｂｙｐａｓｓ_ｆｌａｇ構文要素を備え、前記第２の構文要素は、前記ＣＵ構文レベルにおけるｐｃｍ_ｆｌａｇ構文要素を備え、前記第３の構文要素は、前記ＣＵ構文レベルにおけるｐｃｍ_ｌｏｏｐ_ｄｉｓｂａｌｅ_ｆｌａｇ構文要素を備える請求項７に記載の方法。
【請求項９】
前記第１の構文要素及び前記第２の構文要素に少なくとも部分的に基づいて前記１つ以上の映像ブロックを符号化することをさらに備える請求項６に記載の方法。
【請求項１０】
第２の構文要素を符号化することは、前記１つ以上の映像ブロックが前記ロスレスコーディングモードを用いて符号化されたときに前記ロスレスコーディングモードが使用されることを示すために前記第２の構文要素を符号化することをさらに備え、第２の構文要素を符号化することは、前記１つ以上の映像ブロックが前記ＰＣＭコーディングモードを用いて符号化されたときに前記ＰＣＭコーディングモードが使用されることを示すために前記第２の構文要素を符号化することをさらに備える請求項９に記載の方法。
【請求項１１】
実行されたときに、デバイスのプロセッサに、請求項１乃至５または６乃至１０のうちのいずれか一項の方法を実行させる命令を記憶する、コンピュータによって読み取り可能な記憶媒体。
【請求項１２】
映像復号デバイスであって、
１つ以上の映像ブロックに関してロスレスコーディングモードが使用されるか又は前記１つ以上の映像ブロックに関してパルスコード変調（ＰＣＭ）コーディングモードが使用されるかのうちの１つを示す第１の構文要素を復号するための手段
を備え、
ここにおいて、前記ロスレスコーディングモードは、コーディングプロセスにおいて変換、量子化、及びインループフィルタリングをバイパスするモードを意味し、前記ＰＣＭコーディングモードは、ピクセル値をＰＣＭサンプルとしてコーディングするモードを意味し、
前記第１の構文要素が真値を示すことに応答して、前記復号するための手段は、前記ロスレスコーディングモード又は前記ＰＣＭモードのうちのどちらが使用されるかを示す第２の構文要素を復号するように構成され、
前記第１の構文要素が偽値を示すことに応答して、前記復号するための手段は、変換及び量子化プロセスを用いて前記１つ以上の映像ブロックを復号し、前記第２の構文要素を復号しないように構成される、
映像復号デバイス。
【請求項１３】
１つ以上のＰＣＭサンプルに関してインループフィルタリング動作が使用されるかどうかを示す第３の構文要素を復号するための手段と、
前記第１の構文要素、前記第２の構文要素、及び前記第３の構文要素に基づいて前記１つ以上のＰＣＭサンプルにインループフィルタリング動作を適用するための手段と、をさらに備える請求項１２に記載の映像復号デバイス。
【請求項１４】
映像符号化デバイスであって、
１つ以上の映像ブロックに関してロスレスコーディングモードが使用されるか又は前記１つ以上の映像ブロックに関してパルスコード変調（ＰＣＭ）コーディングモードが使用されるかを示す第１の構文要素を符号化するための手段
を備え、
ここにおいて、前記ロスレスコーディングモードは、コーディングプロセスにおいて変換、量子化、及びインループフィルタリングをバイパスするモードを意味し、前記ＰＣＭコーディングモードは、ピクセル値をＰＣＭサンプルとしてコーディングするモードを意味し、
前記第１の構文要素が真値を示すことに応答して、前記符号化するための手段は、前記ロスレスコーディングモード又は前記ＰＣＭモードのうちのどちらが使用されるかを示す第２の構文要素を符号化するように構成され、
前記第１の構文要素が偽値を示すことに応答して、前記符号化するための手段は、変換及び量子化プロセスを用いて前記１つ以上の映像ブロックを復号し、前記第２の構文要素を復号しないように構成される、
映像符号化デバイス。
【請求項１５】
１つ以上のＰＣＭサンプルに関してインループフィルタリング動作が使用されるかどうかを示す第３の構文要素を符号化するための手段と、
前記第１の構文要素、前記第２の構文要素、及び前記第３の構文要素に基づいて前記１つ以上のＰＣＭサンプルにインループフィルタリング動作を適用するための手段と、をさらに備える請求項１４に記載の映像符号化デバイス。
【手続補正２】
【補正対象書類名】明細書
【補正対象項目名】０１８９
【補正方法】変更
【補正の内容】
【０１８９】
［０１９５］様々な例が説明されている。これらの及びその他の例は、以下の請求項の範囲内である。
以下に、本願出願の当初の特許請求の範囲に記載された発明を付記する。
［Ｃ１］
映像データを復号する方法であって、
１つ以上の映像ブロックに関してパルスコード変調（ＰＣＭ）コーディングモードが使用されるかどうかを決定するために第１の構文要素を復号することであって、前記ＰＣＭコーディングモードは、ピクセル値をＰＣＭサンプルとしてコーディングするモードを意味することと、
前記１つ以上の映像ブロックにインループフィルタリングが適用されるかどうかを決定するために第２の構文要素を復号することと、
前記ＰＣＭコーディングモードが使用されることを前記第１の構文要素が示すことに応答して、前記第２の構文要素に少なくとも部分的に基づいて前記１つ以上の映像ブロックにインループフィルタリングを適用することと、
前記第１の構文要素及び前記第２の構文要素に少なくとも部分的に基づいて前記１つ以上の映像ブロックを復号することと、を備える、方法。
［Ｃ２］
前記ＰＣＭコーディングモードが使用されることを前記第１の構文要素が示し、前記第２の構文要素が偽値を示す場合は、前記１つ以上の映像ブロックを復号することは、ＰＣＭコーディングモード及びインループフィルタリングを用いて前記１つ以上の映像ブロックを復号することをさらに備え、前記ＰＣＭコーディングモードが使用されることを前記第１の構文要素が示し、前記第２の構文要素が真値を示す場合は、前記１つ以上の映像ブロックを復号することは、インループフィルタリングを用いずにＰＣＭコーディングモードを用いて前記１つ以上の映像ブロックを復号することをさらに備えるＣ１に記載の方法。
［Ｃ３］
前記第１の構文要素は、コーディングユニット（ＣＵ）構文レベルにおけるｐｃｍ_ｆｌａｇ構文要素を備え、前記第２の構文要素は、前記ＣＵ構文レベルにおけるｃｕ_ｔｒａｎｓｑｕａｎｔ_ｂｙｐａｓｓ_ｆｌａｇ構文要素を備えるＣ１に記載の方法。
［Ｃ４］
前記ｃｕ_ｔｒａｎｓｑｕａｎｔ_ｌｏｏｐｆｉｌｔｅｒ_ｂｙｐａｓｓ_ｆｌａｇ構文要素は、前記ＣＵ構文の最後の方に、ただしｎｏ_ｒｅｓｉｄｕａｌ_ｄａｔａ_ｆｌａｇ構文要素よりも前に配置されるＣ３に記載の方法。
［Ｃ５］
フィルタリングがイネーブルにされるかどうかを決定するために第３の構文要素（ｐｃｍ_ｌｏｏｐ_ｆｉｌｔｅｒ_ｄｉｓｂａｌｅ_ｆｌａｇ）を復号することと、
フィルタリングがイネーブルにされることを前記第３の構文要素が示すことに応答して、前記第２の構文要素に少なくとも部分的に基づいて前記フィルタリングを適用することと、
フィルタリングがディスエーブルにされることを第３の構文要素が示すことに応答して、ＰＣＭコーディングモードを有する１つ以上のブロックに関するフィルタリングをディスエーブルにすることと、をさらに備えるＣ１に記載の方法。
［Ｃ６］
前記第３の構文要素は、シーケンスパラメータセット（ＳＰＳ）、ピクチャパラメータセット（ＰＰＳ）、及び前記１つ以上の映像ブロックのスライスヘッダのうちの１つにおいてｐｃｍ_ｌｏｏｐ_ｆｉｌｔｅｒ_ｄｉｓｂａｌｅ_ｆｌａｇ構文要素を備えるＣ５に記載の方法。
［Ｃ７］
映像データを符号化する方法であって、
１つ以上の映像ブロックに関してパルスコード変調（ＰＣＭ）コーディングモードが使用されるかどうかを示すために第１の構文要素を符号化することであって、前記ＰＣＭコーディングモードは、ピクセル値をＰＣＭサンプルとしてコーディングするモードを意味することと、
前記１つ以上の映像ブロックにインループフィルタリングが適用されるかどうかを示すために第２の構文要素を符号化することと、
前記ＰＣＭコーディングモードが使用されることを前記第１の構文要素が示すことに応答して、前記第２の構文要素に少なくとも部分的に基づいて前記１つ以上の映像ブロックにインループフィルタリングを適用することと、
前記第１の構文要素及び前記第２の構文要素に少なくとも部分的に基づいて前記１つ以上の映像ブロックを符号化することと、を備える、方法。
［Ｃ８］
前記ＰＣＭコーディングモードが使用されることを前記第１の構文要素が示し、前記第２の構文要素が偽値を示す場合は、前記１つ以上の映像ブロックを符号化することは、ＰＣＭコーディングモード及びインループフィルタリングを用いて前記１つ以上の映像ブロックを符号化することをさらに備え、前記ＰＣＭコーディングモードが使用されることを前記第１の構文要素が示し、前記第２の構文要素が真値を示す場合は、前記１つ以上の映像ブロックを符号化することは、インループフィルタリングを用いずにＰＣＭコーディングモードを用いて前記１つ以上の映像ブロックを復号することをさらに備えるＣ７に記載の方法。
［Ｃ９］
前記第１の構文要素は、コーディングユニット（ＣＵ）構文レベルにおけるｐｃｍ_ｆｌａｇ構文要素を備え、前記第２の構文要素は、前記ＣＵ構文レベルにおけるｃｕ_ｔｒａｎｓｑｕａｎｔ_ｂｙｐａｓｓ_ｆｌａｇ構文要素を備えるＣ７に記載の方法。
［Ｃ１０］
前記ｃｕ_ｔｒａｎｓｑｕａｎｔ_ｌｏｏｐｆｉｌｔｅｒ_ｂｙｐａｓｓ_ｆｌａｇ構文要素は、前記ＣＵ構文の最後の方に、ただしｎｏ_ｒｅｓｉｄｕａｌ_ｄａｔａ_ｆｌａｇ構文要素よりも前に配置されるＣ９に記載の方法。
［Ｃ１１］
フィルタリングがイネーブルにされるかどうかを示すために第３の構文要素（ｐｃｍ_ｌｏｏｐ_ｆｉｌｔｅｒ_ｄｉｓｂａｌｅ_ｆｌａｇ）を符号化することと、
フィルタリングがイネーブルにされることを前記第３の構文要素が示すことに応答して、前記第２の構文要素に少なくとも部分的に基づいてフィルタリングを適用することと、
フィルタリングがディスエーブルにされることを第３の構文要素が示すことに応答して、ＰＣＭコーディングモードを有する１つ以上の映像ブロックに関するフィルタリングをディスエーブルにすることと、をさらに備えるＣ７に記載の方法。
［Ｃ１２］
前記第３の構文要素は、シーケンスパラメータセット（ＳＰＳ）、ピクチャパラメータセット（ＰＰＳ）、及び前記１つ以上の映像ブロックのスライスヘッダのうちの１つにおいてｐｃｍ_ｌｏｏｐ_ｆｉｌｔｅｒ_ｄｉｓｂａｌｅ_ｆｌａｇ構文要素を備えるＣ１１に記載の方法。
［Ｃ１３］
映像コーディングデバイスであって、
前記１つ以上の映像ブロックに関してパルスコード変調（ＰＣＭ）コーディングモードが使用されるかどうかを示す第１の構文要素をコーディングし、
前記１つ以上の映像ブロックにインループフィルタリングが適用されるかどうかを示す第２の構文要素をコーディングし、及び
前記ＰＣＭコーディングモードが使用されることを第１の構文要素が示すことに応答して、前記第２の構文要素に少なくとも部分的に基づいて前記１つ以上の映像ブロックにインループフィルタリングを適用するように構成された映像コーダを備え、前記ＰＣＭコーディングモードは、ピクセル値をＰＣＭサンプルとしてコーディングするモードを意味する、映像コーディングデバイス。
［Ｃ１４］
前記ＰＣＭコーディングモードが使用されることを前記第１の構文要素が示し、前記第２の構文要素が偽値を示す場合は、前記映像コーダは、ＰＣＭコーディングモード及びインループフィルタリングを用いて前記１つ以上の映像ブロックをコーディングするようにさらに構成されるＣ１３に記載の映像コーディングデバイス。
［Ｃ１５］
前記第１の構文要素は、コーディングユニット（ＣＵ）構文レベルにおけるｐｃｍ_ｆｌａｇ構文要素を備え、前記第２の構文要素は、ＣＵ構文レベルにおけるｃｕ_ｔｒａｎｓｑｕａｎｔ_ｂｙｐａｓｓ_ｆｌａｇ構文要素を備えるＣ１３に記載の映像コーディングデバイス。
［Ｃ１６］
前記ｃｕ_ｔｒａｎｓｑｕａｎｔ_ｌｏｏｐｆｉｌｔｅｒ_ｂｙｐａｓｓ_ｆｌａｇ構文要素は、前記ＣＵ構文の最後の方に、ただしｎｏ_ｒｅｓｉｄｕａｌ_ｄａｔａ_ｆｌａｇ構文要素よりも前に配置されるＣ１５に記載の映像コーディングデバイス。
［Ｃ１７］
フィルタリングがイネーブルにされるかどうかを示す第３の構文要素（ｐｃｍ_ｌｏｏｐ_ｆｉｌｔｅｒ_ｄｉｓｂａｌｅ_ｆｌａｇ）をコーディングすることと、
フィルタリングがイネーブルにされることを前記第３の構文要素が示すことに応答して、前記第２の構文要素に少なくとも部分的に基づいて前記フィルタリングを適用することと、
フィルタリングがディスエーブルにされることを前記第３の構文要素が示すことに応答して、ＰＣＭコーディングモードを有する１つ以上のブロックに関するフィルタリングをディスエーブルにすることと、をさらに備えるＣ１３に記載の映像コーディングデバイス。
［Ｃ１８］
前記第３の構文要素は、シーケンスパラメータセット（ＳＰＳ）、ピクチャパラメータセット（ＰＰＳ）、及び前記１つ以上の映像ブロックのスライスヘッダのうちの１つにおいてｐｃｍ_ｌｏｏｐ_ｆｉｌｔｅｒ_ｄｉｓｂａｌｅ_ｆｌａｇ構文要素を備えるＣ１７に記載の映像コーディングデバイス。
［Ｃ１９］
前記映像コーディングデバイスは、映像復号器であり、前記第１の構文要素をコーディングすることは、前記１つ以上の映像ブロックに関してパルスコード変調（ＰＣＭ）モードが使用されるかどうかを決定するために前記第１の構文要素を復号することを備え、前記第２の構文要素をコーディングすることは、１つ以上の映像ブロックに関してロスレスコーディングモードが使用されるかどうかを決定するために前記第２の構文要素を復号することを備え、前記映像復号器は、
前記第１の構文要素及び前記第２の構文要素に少なくとも部分的に基づいて前記１つ以上の映像ブロックを復号するようにさらに構成されるＣ１３に記載の映像コーディングデバイス。
［Ｃ２０］
前記映像コーディングデバイスは、映像符号器であり、前記第１の構文要素をコーディングすることは、前記１つ以上の映像ブロックに関してパルスコード変調（ＰＣＭ）モードが使用されるかどうかを示す前記第１の構文要素を符号化することを備え、前記第２の構文要素をコーディングすることは、１つ以上の映像ブロックに関してロスレスコーディングモードが使用されるかどうかを示す前記第２の構文要素を符号化することを備え、前記映像符号器は、
前記第１の構文要素及び前記第２の構文要素に少なくとも部分的に基づいて前記１つ以上の映像ブロックを符号化するようにさらに構成されるＣ１３に記載の映像コーディングデバイス。
［Ｃ２１］
コンピュータによって読み取り可能な記憶媒体であって、実行されたときに、
前記１つ以上の映像ブロックに関してパルスコード変調（ＰＣＭ）コーディングモードが使用されるかどうかを示す第１の構文要素をコーディングし、
前記１つ以上の映像ブロックにインループフィルタリングが適用されるかどうかを示す第２の構文要素をコーディングし、及び
前記ＰＣＭコーディングモードが使用されることを前記第１の構文要素が示すことに応答して、前記第２の構文要素に少なくとも部分的に基づいて前記１つ以上の映像ブロックにインループフィルタリングを適用することを映像データをコーディングするためのデバイスのプロセッサに行わせる命令を格納している、コンピュータによって読み取り可能な記憶媒体。
［Ｃ２２］
前記ＰＣＭコーディングモードが使用されることを前記第１の構文要素が示し、前記第２の構文要素が偽値を示す場合は、前記命令は、ＰＣＭモード及びインループフィルタリングを用いて前記１つ以上の映像ブロックをコーディングすることを映像データをコーディングするための前記デバイスの前記プロセッサにさらに行わせるＣ２１に記載のコンピュータによって読み取り可能な記憶媒体。
［Ｃ２３］
前記第１の構文要素は、コーディングユニット（ＣＵ）構文レベルにおけるｐｃｍ_ｆｌａｇ構文要素を備え、前記第２の構文要素は、前記ＣＵ構文レベルにおけるｃｕ_ｔｒａｎｓｑｕａｎｔ_ｂｙｐａｓｓ_ｆｌａｇ構文要素を備えるＣ２１に記載のコンピュータによって読み取り可能な記憶媒体。
［Ｃ２４］
前記命令は、
フィルタリングがイネーブルにされるかどうかを示す第３の構文要素（ｐｃｍ_ｌｏｏｐ_ｆｉｌｔｅｒ_ｄｉｓｂａｌｅ_ｆｌａｇ）をコーディングし、
フィルタリングがイネーブルにされることを前記第３の構文要素が示すことに応答して、前記第２の構文要素に少なくとも部分的に基づいてフィルタリングを適用し、及び
フィルタリングがディスエーブルにされることを前記第３の構文要素が示すことに応答して、ＰＣＭコーディングモードを有する１つ以上のブロックに関するフィルタリングをディスエーブルにすることを、映像データをコーディングするための前記デバイスの前記プロセッサにさらに行わせるＣ２１に記載のコンピュータによって読み取り可能な記憶媒体。
［Ｃ２５］
映像コーディングデバイスであって、
前記１つ以上の映像ブロックに関してパルスコード変調（ＰＣＭ）モードが使用されるかどうかを示す第１の構文要素をコーディングするための手段であって、前記ＰＣＭコーディングモードは、ピクセル値をＰＣＭサンプルとしてコーディングするモードを意味する手段と、
前記１つ以上の映像ブロックにインループフィルタリングが適用されるかどうかを示す第２の構文要素をコーディングするための手段と、
前記ＰＣＭコーディングモードが使用されることを前記第１の構文要素が示すことに応答して、前記第２の構文要素に少なくとも部分的に基づいて前記１つ以上の映像ブロックにフィルタリングを適用するための手段と、を備える、映像コーディングデバイス。
［Ｃ２６］
前記ＰＣＭコーディングモードが使用されることを前記第１の構文要素が示し、前記第２の構文要素が偽値を示す場合は、前記映像コーディングデバイスは、ＰＣＭコーディングモード及びインループフィルタリングを用いて前記１つ以上の映像ブロックをコーディングするための手段をさらに含むＣ２５に記載の映像コーディングデバイス。
［Ｃ２７］
前記第１の構文要素は、コーディングユニット（ＣＵ）構文レベルにおけるｐｃｍ_ｆｌａｇ構文要素を備え、前記第２の構文要素は、前記ＣＵ構文レベルにおけるｃｕ_ｔｒａｎｓｑｕａｎｔ_ｌｏｏｐｆｉｌｔｅｒ_ｂｙｐａｓｓ_ｆｌａｇ構文要素を備えるＣ２５に記載の映像コーディングデバイス。
［Ｃ２８］
フィルタリングがイネーブルにされるかどうかを示す第３の構文要素（ｐｃｍ_ｌｏｏｐ_ｆｉｌｔｅｒ_ｄｉｓｂａｌｅ_ｆｌａｇ）をコーディングするための手段と、
フィルタリングがイネーブルにされることを前記第３の構文要素が示すことに応答して、前記第２の構文要素に少なくとも部分的に基づいて前記フィルタリングを適用するための手段と、
フィルタリングがディスエーブルにされることを前記第３の構文要素が示すことに応答して、ＰＣＭコーディングモードを有する１つ以上のブロックに関するフィルタリングをディスエーブルにするための手段と、をさらに備えるＣ２５に記載の映像コーディングデバイス。
［Ｃ２９］
映像データを復号する方法であって、
１つ以上の映像ブロックに関してロスレスコーディングモードが使用されるか又は前記１つ以上の映像ブロックに関してパルスコード変調（ＰＣＭ）コーディングモードが使用されるかを決定するために第１の構文要素を復号することであって、前記ロスレスコーディングモードは、コーディングプロセスにおいて変換、量子化、及びインループフィルタリングをバイパスするモードであり、前記ＰＣＭコーディングモードは、ピクセル値をＰＣＭサンプルとしてコーディングするモードを意味することと、
前記第１の構文要素が真値を示すことに応答して、前記ロスレスコーディングモード又は前記ＰＣＭモードのうちのどちらが使用されるかを決定するために第２の構文要素を復号することと、を備える、方法。
［Ｃ３０］
前記１つ以上のＰＣＭサンプルに関してインループフィルタリング動作が使用されるかどうかを示す第３の構文要素を復号することと、
前記第１の構文要素、前記第２の構文要素、及び前記第３の構文要素に基づいて前記１つ以上のＰＣＭサンプルにインループフィルタリング動作を適用することと、をさらに備えるＣ２９に記載の方法。
［Ｃ３１］
前記第１の構文要素は、コーディングユニット（ＣＵ）構文レベルにおけるｃｕ_ｔｒａｎｓｑｕａｎｔ_ｂｙｐａｓｓ_ｆｌａｇ構文要素を備え、前記第２の構文要素は、前記ＣＵ構文レベルにおけるｐｃｍ_ｆｌａｇ構文要素を備え、前記第３の構文要素は、前記ＣＵ構文レベルにおけるｐｃｍ_ｌｏｏｐ_ｄｉｓｂａｌｅ_ｆｌａｇ構文要素を備えるＣ３０に記載の方法。
［Ｃ３２］
前記第１の構文要素が偽値を示すことに応答して、変換及び量子化プロセスを用いて前記１つ以上の映像ブロックを復号することと、前記第２の構文要素を復号しないことと、をさらに備えるＣ２９に記載の方法。
［Ｃ３３］
前記第１の構文要素及び前記第２の構文要素に少なくとも部分的に基づいて前記１つ以上の映像ブロックを復号することをさらに備えるＣ２９に記載の方法。
［Ｃ３４］
前記ロスレスコーディングモードが使用されることを前記第２の構文要素が示すと決定したことに応答して、前記ロスレスコーディングモードを用いて前記１つ以上の映像ブロックを復号することと、
前記ＰＣＭコーディングモードが使用されることを前記第２の構文要素が示すと決定したことに応答して、前記ＰＣＭコーディングモードを用いて前記１つ以上の映像ブロックを復号することと、をさらに備えるＣ３３に記載の方法。
［Ｃ３５］
映像データを符号化する方法であって、
１つ以上の映像ブロックに関してロスレスコーディングモードが使用されるか又は前記１つ以上の映像ブロックに関してパルスコード変調（ＰＣＭ）コーディングモードが使用されるかを示すために第１の構文要素を符号化することであって、前記ロスレスコーディングモードは、コーディングプロセスにおいて変換、量子化、及びインループフィルタリングをバイパスするモードを意味し、前記ＰＣＭコーディングモードは、ピクセル値をＰＣＭサンプルとしてコーディングするモードを意味することと、
前記第１の構文要素が真値を示すことに応答して、前記ロスレスコーディングモード又は前記ＰＣＭモードのうちのどちらが使用されるかを示すために第２の構文要素を符号化することと、を備える、方法。
［Ｃ３６］
前記１つ以上のＰＣＭサンプルに関してインループフィルタリング動作が使用されるかどうかを示すために第３の構文要素を符号化することと、
前記第１の構文要素、前記第２の構文要素、及び前記第３の構文要素に基づいて前記１つ以上のＰＣＭサンプルにインループフィルタリング動作を適用することと、をさらに備えるＣ３５に記載の方法。
［Ｃ３７］
前記第１の構文要素は、コーディングユニット（ＣＵ）構文レベルにおけるｃｕ_ｔｒａｎｓｑｕａｎｔ_ｂｙｐａｓｓ_ｆｌａｇ構文要素を備え、前記第２の構文要素は、前記ＣＵ構文レベルにおけるｐｃｍ_ｆｌａｇ構文要素を備え、前記第３の構文要素は、前記ＣＵ構文レベルにおけるｐｃｍ_ｌｏｏｐ_ｄｉｓｂａｌｅ_ｆｌａｇ構文要素を備えるＣ３６に記載の方法。
［Ｃ３８］
前記第１の構文要素が偽値を示すことに応答して、変換及び量子化プロセスを用いて前記１つ以上の映像ブロックを符号化することと、前記第２の構文要素を符号化しないことと、をさらに備えるＣ３５に記載の方法。
［Ｃ３９］
前記第１の構文要素及び前記第２の構文要素に少なくとも部分的に基づいて前記１つ以上の映像ブロックを符号化することをさらに備えるＣ３５に記載の方法。
［Ｃ４０］
前記１つ以上の映像ブロックが前記ロスレスコーディングモードを用いて符号化されたときに前記ロスレスコーディングモードが使用されることを示すために前記第２の構文要素を符号化することをさらに備え、前記１つ以上の映像ブロックが前記ＰＣＭコーディングモードを用いて符号化されたときに前記ＰＣＭコーディングモードが使用されることを示すために前記第２の構文要素を符号化することをさらに備えるＣ３９に記載の方法。
［Ｃ４１］
映像コーディングデバイスであって、
１つ以上の映像ブロックに関してロスレスコーディングモードが使用されるか又は前記１つ以上の映像ブロックに関してパルスコード変調（ＰＣＭ）コーディングモードが使用されるかを示す第１の構文要素をコーディングし、及び
前記第１の構文要素が真値を示すことに応答して、前記ロスレスコーディングモード又は前記ＰＣＭモードのうちのどちらが使用されるかを示す第２の構文要素をコーディングするように構成された映像コーダを備え、前記ロスレスコーディングモードは、コーディングプロセスにおいて変換、量子化、及びインループフィルタリングをバイパスするモードを意味し、前記ＰＣＭコーディングモードは、ピクセル値をＰＣＭサンプルとしてコーディングするモードを意味する、映像コーディングデバイス。
［Ｃ４２］
前記映像コーダは、
前記１つ以上のＰＣＭサンプルに関してインループフィルタリング動作が使用されるかどうかを示す第３の構文要素をコーディングし、及び
前記第１の構文要素、前記第２の構文要素、及び前記第３の構文要素に基づいて前記１つ以上のＰＣＭサンプルにインループフィルタリング動作を適用するようにさらに構成されるＣ４１に記載の映像コーディングデバイス。
［Ｃ４３］
前記第１の構文要素は、コーディングユニット（ＣＵ）構文レベルにおけるｃｕ_ｔｒａｎｓｑｕａｎｔ_ｂｙｐａｓｓ_ｆｌａｇ構文要素を備え、前記第２の構文要素は、前記ＣＵ構文レベルにおけるｐｃｍ_ｆｌａｇ構文要素を備え、前記第３の構文要素は、前記ＣＵ構文レベルにおけるｐｃｍ_ｌｏｏｐ_ｄｉｓｂａｌｅ_ｆｌａｇ構文要素を備えるＣ４２に記載の映像コーディングデバイス。
［Ｃ４４］
前記映像コーダは、
前記第１の構文要素が偽値を示すことに応答して、変換及び量子化プロセスを用いて前記１つ以上の映像ブロックを復号し、及び前記第２の構文要素を復号しないようにさらに構成されるＣ４１に記載の映像コーディングデバイス。
［Ｃ４５］
前記コーディングデバイスは、映像復号器を備え、前記第１の構文要素をコーディングすることは、前記第１の構文要素を復号することを備え、前記第２の構文要素をコーディングすることは、前記第１の構文要素が真値を示すことに応答して、前記ロスレスコーディングモードが使用されるか又は前記ＰＣＭモードが使用されるかを示す第２の構文要素を復号することを備え、前記映像復号器は、
前記第１の構文要素及び前記第２の構文要素に少なくとも部分的に基づいて前記１つ以上の映像ブロックを復号するようにさらに構成されるＣ４１に記載の映像コーディングデバイス。
［Ｃ４６］
前記コーディングデバイスは、映像符号器を備え、前記第１の構文要素をコーディングすることは、前記第１の構文要素を符号化することを備え、前記第２の構文要素をコーディングすることは、前記第１の構文要素が真値を示すことに応答して、前記ロスレスコーディングモードが使用されるか又は前記ＰＣＭモードが使用されるかを示す第２の構文要素を符号化することを備え、前記映像符号器は、
前記第１の構文要素及び前記第２の構文要素に少なくとも部分的に基づいて前記１つ以上の映像ブロックを符号化するようにさらに構成されるＣ４１に記載の映像コーディングデバイス。
［Ｃ４７］
コンピュータによって読み取り可能な記憶媒体であって、実行されたときに、
１つ以上の映像ブロックに関してロスレスコーディングモードが使用されるか又は前記１つ以上の映像ブロックに関してパルスコード変調（ＰＣＭ）コーディングモードが使用されるかを示す第１の構文要素をコーディングし、及び
前記第１の構文要素が真値を示すことに応答して、前記ロスレスコーディングモード又は前記ＰＣＭモードのうちのどちらが使用されるかを示す第２の構文要素をコーディングすることを映像データをコーディングするためのデバイスのプロセッサに行わせる命令を格納し、前記ロスレスコーディングモードは、コーディングプロセスにおいて変換、量子化、及びインループフィルタリングをバイパスするモードを意味し、前記ＰＣＭコーディングモードは、ピクセル値をＰＣＭサンプルとしてコーディングするモードを意味する、コンピュータによって読み取り可能な記憶媒体。
［Ｃ４８］
前記命令は、
前記１つ以上のＰＣＭサンプルに関してインループフィルタリング動作が使用されるかどうかを示す第３の構文要素をコーディングし、及び
前記第１の構文要素、前記第２の構文要素、及び前記第３の構文要素に基づいて前記１つ以上のＰＣＭサンプルにインループフィルタリング動作を適用することを映像データをコーディングするためのデバイスのプロセッサにさらに行わせるＣ４７に記載のコンピュータによって読み取り可能な記憶媒体。
［Ｃ４９］
映像コーディングデバイスであって、
１つ以上の映像ブロックに関してロスレスコーディングモードが使用されるか又は前記１つ以上の映像ブロックに関してパルスコード変調（ＰＣＭ）コーディングモードが使用されるかを示す第１の構文要素をコーディングするための手段であって、前記ロスレスコーディングモードは、コーディングプロセスにおいて変換、量子化、及びインループフィルタリングをバイパスするモードを意味し、前記ＰＣＭコーディングモードは、ピクセル値をＰＣＭサンプルとしてコーディングするモードを意味する手段と、
前記第１の構文要素が真値を示すことに応答して、前記ロスレスコーディングモード又は前記ＰＣＭモードのうちのどちらが使用されるかを示す第２の構文要素をコーディングするための手段と、を備える、映像コーディングデバイス。
［Ｃ５０］
１つ以上のＰＣＭサンプルに関してインループフィルタリング動作が使用されるかどうかを示す第３の構文要素をコーディングするための手段と、
前記第１の構文要素、前記第２の構文要素、及び前記第３の構文要素に基づいて前記１つ以上のＰＣＭサンプルにインループフィルタリング動作を適用するための手段と、をさらに備えるＣ４９に記載の映像コーディングデバイス。